(57)【要約】【課題】従来と同等の電線を用いつつコネクタ外形を小型化しても、レバー係止部の係止解除作業に支障をきたすことのない回動レバー式コネクタを提供する。【解決手段】カバー２０の裏面において、レバー係止部２４の基部近傍等には、電線押えリブ２９Ｌ、２９Ｌ′が、レバー係止部２４の底面２４ａよりも下方に突き出るように突設されている。電線押えリブ２９Ｌ、２９Ｌ′は、電線４の進行方向と垂直方向に延びて電線４に当接するように突設されている。電線押えリブ２９Ｌ、２９Ｌ′は、電線４がこのレバー係止部２４の可動スペースに干渉するのを抑制するために、十分な高さを持って突設されている。電線押えリブ２９Ｌ、２９Ｌ′によって、たとえ、当該コネクタ内において電線４の占有スペースが増大しても、レバー係止部２４の可動スペースは確実に確保されるので、レバー係止部２４Ｌの係止解除作業が妨げられることがない。【選択図】図６
2006294359.tif 000002
【特許請求の範囲】
【請求項１】
電線付の端子を収容するコネクタハウジングと、前記コネクタハウジングに取り付けられて前記電線を案内するカバーと、前記コネクタハウジングに回動可能に取り付けられたレバーと、前記カバーの一部に設けられ、前記レバーの一部と係合して、可撓性を有するアーム状のレバー係止部と、を有する回動レバー式コネクタであって、
前記カバーの裏面から前記電線に当接可能に突設されたリブを有して、前記電線が前記レバー係止部の可動スペースに干渉するのを抑制する、
ことを特徴とする回動レバー式コネクタ。
【請求項２】
請求項１記載の回動レバー式コネクタにおいて、
前記リブは、
前記レバー係止部の自由端及び固定端側に近接して突設されている、
ことを特徴とする回動レバー式コネクタ。
【発明の詳細な説明】
【技術分野】
【０００１】
本発明は、電線付の端子を収容するコネクタハウジングと、コネクタハウジングに取り付けられて、電線を案内しつつ外部に導出させるカバーと、コネクタハウジングに回動可能に取り付けられたレバーと、を有する回動レバー式コネクタに関する。
【背景技術】
【０００２】
電線付の端子を収容するコネクタハウジングと、コネクタハウジングに取り付けられて、電線を案内しつつ外部に導出させるカバーと、コネクタハウジングに回動可能に取り付けられたレバーと、を有する回動レバー式コネクタが、下記特許文献１等において、知られている。
【０００３】
図８は、この種の従来の回動レバー式コネクタの部分断面図である。図９は、図８の回動レバー式コネクタの他の部分断面図である。
【０００４】
図８及び図９に示すように、この種の回動レバー式コネクタは、電線４付の端子を収容する箱型のコネクタハウジング６０と、このコネクタハウジング６０の基部側（図中、上面側）を覆うように取り付けられて、電線４を案内しつつ外部に導出させる半ドーム状のカバー７０と、コネクタハウジング６０及びカバー７０を挟み込むようにして、コネクタハウジング６０に回動可能に取り付けられたレバー８０と、を有する。複数の電線４は、図中上方向に、コネクタハウジング６０の電線キャビティ６３から出ているが、半ドーム状のカバー７０によって、図中水平方向により緩やかに湾曲されて外部に導出される。
【０００５】
コネクタハウジング６０の両側面には、レバー８０の回動軸６６が設けられている。カバー７０の上部には、レバー８０の係合部８８に係止される可撓性を有するアーム状のレバー係止部７４、及びフレーム突起７２等が設けられている。レバー８０には、ガイド孔８１、回動孔８６、その他窪み８２、及び係合部８８が設けられている。レバー８０は、コネクタハウジング６０の回動軸６６に中心部が差し込まれて、この回動軸６６を中心に回動可能となる。
【０００６】
このような構成において、嵌合作業時には、コネクタハウジング６０には、上記基部側とは反対側（図中、下面側）には、図示しない相手コネクタが図中下方から嵌合される。このときには、相手コネクタに設けられたガイドピン（不図示）が、レバー８０のガイド孔８１にはめ込まれて、レバー８０の回動に伴ってガイドピンが上方に引き上げられて、相手コネクタがコネクタハウジング６０に嵌合される。嵌合終了後には、図８に示すように、レバー係止部７４がレバー８０の係合部８８に係止される。
【０００７】
離脱作業時には、基本的に、上記と逆の作用により、コネクタハウジング６０と相手コネクタが離脱される。特に、離脱作業初期には、レバー係止部７４が図９中矢印Ｂ１に示す方向に押し下げられつつ、係合部８８が図９中矢印Ｂ２、Ｂ３に示す方向に変移されて、レバー係止部７４の係止が解除される。なお、図８、９に示すコネクタは、本発明のカバー付きコネクタの特徴をより明確に理解するために例示したものであり、特許文献１に記載のコネクタではない。
【特許文献１】特開２００３−２７２７６８号公報
【発明の開示】
【発明が解決しようとする課題】
【０００８】
ところで、上述のように、離脱作業初期において、係合部８８を矢印Ｂ２、Ｂ３に示す方向に変移させるためには、レバー係止部７４を矢印Ｂ１に示す方向に十分な量だけ押し下げる必要がある。このためには、レバー係止部７４の下部に、図９でＣＬ′で示すような十分なクリアランス、すなわち、レバー係止部７４の可動スペースを確保することが必要である。
【０００９】
しかしながら、近年、コネクタ外形の小型化が求められている。補足すると、電線４は同等でありながら、コネクタ外形の小型化が求められている。この影響により、カバー７０に対しても小型化が求められ、このため、コネクタ内において電線４の占有スペースが増大して、クリアランスＣＬ′が十分確保できない場合が発生している。
【００１０】
上記クリアランスＣＬ′が十分確保できない場合には、いうまでもなく、レバー係止部７４の可動スペースに電線４が干渉してくるので、レバー係止部７４が矢印Ｂ１に示す方向に十分な量だけ押し下げることも困難になる。この結果、係合部８８を矢印Ｂ２、Ｂ３に示す方向に変移することも困難になり、レバー係止部７４の係止解除が不可能になる。
【００１１】
よって本発明は、上述した現状に鑑み、従来と同等の電線を用いつつコネクタ外形を小型化しても、レバー係止部の係止解除作業に支障をきたすことのない回動レバー式コネクタを提供することを課題としている。
【課題を解決するための手段】
【００１２】
上記課題を解決するためになされた請求項１記載の回動レバー式コネクタは、電線付の端子を収容するコネクタハウジングと、前記コネクタハウジングに取り付けられて前記電線を案内するカバーと、前記コネクタハウジングに回動可能に取り付けられたレバーと、前記カバーの一部に設けられ、前記レバーの一部と係合して、可撓性を有するアーム状のレバー係止部と、を有する回動レバー式コネクタであって、前記カバーの裏面から前記電線に当接可能に突設されたリブを有して、前記電線が前記レバー係止部の可動スペースに干渉するのを抑制する、ことを特徴とする。
【００１３】
請求項１記載の発明によれば、カバーの裏面から電線に当接可能に突設されたリブを有して、電線がレバー係止部の可動スペースに干渉するのを抑制する。このリブによって、たとえ、当該コネクタ内において電線の占有スペースが増大しても、レバー係止部の可動スペースは確実に確保されるので、レバー係止部の係止解除作業が妨げられることがない。したがって、従来の同等の電線を用いながらも、コネクタの小型化が可能になる。
【００１４】
上記課題を解決するためになされた請求項２記載の回動レバー式コネクタは、請求項１記載の回動レバー式コネクタにおいて、前記リブは、前記レバー係止部の自由端及び固定端側に近接して突設されている、ことを特徴とする。
【００１５】
請求項２記載の発明によれば、リブは、レバー係止部の自由端及び固定端側に近接して突設されている。したがって、レバー係止部の可動スペースの確保が容易になる。
【発明の効果】
【００１６】
請求項１記載の発明によれば、電線がレバー係止部の可動スペースに干渉するのを抑制するために電線を上から押さえつけるように、電線押えリブがカバーの裏面から突設されている。この電線押えリブによって、たとえ、当該コネクタ内において電線の占有スペースが増大しても、レバー係止部の可動スペースは確実に確保されるので、レバー係止部の係止解除作業が妨げられることがない。したがって、従来の同等の電線を用いながらも、コネクタの小型化が可能になる。
【００１７】
請求項２記載の発明によれば、リブは、レバー係止部の自由端及び固定端側に近接して突設されている。このため、レバー係止部の可動スペースの確保が容易になる。したがって、従来の同等の電線を用いながらも、コネクタの小型化が可能になる。
【発明を実施するための最良の形態】
【００１８】
以下、本発明の実施の形態を図面に基づいて説明する。図１は、本発明の一実施形態に係る回動レバー式コネクタを示す斜視図である。図２は、図１中のコネクタハウジングを示す斜視図である。図３は、図１中のカバーを斜め下方からみた場合の斜視図である。図４は、図１中のカバーの側面図である。図５は、図１中のカバーの背面図である。
【００１９】
図１に示すように、この実施形態に係る回動レバー式コネクタは、電線付の端子を収容するコネクタハウジング１０、コネクタハウジング１０に取り付けられて電線を案内しつつ外部に導出させるカバー２０、及びコネクタハウジング１０に回動可能に取り付けられたレバー３０を有して構成される。コネクタハウジング１０、カバー２０及びレバー３０は共に、例えば、ＰＢＴ（ポリブチレンテレフタート）等の樹脂で構成される。
【００２０】
コネクタハウジング１０には、カバー２０が図中矢印Ａ２０で示す方向から取り付けられる。また、相手コネクタ（不図示）が図中矢印Ａ１０で示す方向から嵌合されるが、このときには、相手コネクタに設けられたガイドピン（不図示）が、レバー３０のガイド孔３１にはめ込まれて、図中矢印Ａ３０方向へのレバー３０の回動に伴ってガイドピンが上方に引き上げられて、相手コネクタがコネクタハウジング１０に嵌合される。なお、この固定時における、レバー３０とカバー２０との係止に係る作用に関しては、後で、図６及び図７を用いて補足する。
【００２１】
コネクタハウジング１０は、図１及び図２に示すように、基本的に箱型をしている。その上面である基部には、電線が接続された端子が収容される円筒状の複数のキャビティ１３及び円状のキャビティ１４が設けられている。各キャビティ１３には比較的太めの電線がそれぞれ導出され、各キャビティ１４には比較的細めの電線がそれぞれ導出される。また、コネクタハウジング１０の基部周縁には、側壁１９が立設されている。側壁１９は、コネクタハウジング１０の側面に連設されているため、この側面の一部であるともいえる。互いに対向する長手方向の側壁１９には、切り欠かれてスリット１２が形成されている。
【００２２】
側壁１９の長手方向のやや内側には、カバー２０側に設けられた係止突起部２１に係合するように、複数の係合部１１が立設されている。係合部１１は、外側から内側に向けて係止突起部２１を受けるような形状になっている。係合部１１の形状及び数は、係止突起部２１に対応するものである。
【００２３】
また、コネクタハウジング１０の両側面は、回動するレバー３０の取り付け面１５にもなっている（図１、図２では片側面のみ記載）。取り付け面１５には、レバー３０の回動軸１６及びガイド溝１８が設けられている。
【００２４】
一方、カバー２０は、図１及び図３〜図５に示すように、電線が導出される電線導出部２９及び取り付け面である下面が開口した細長いドーム状をしている。カバー２０は、上記コネクタハウジング１０の側壁１９の内側に沿うようにして取り付けられるような形状になっている。カバー２０は、コネクタハウジング１０の基部側に取り付けられて、電線を案内し、電線導出部２９から外部に導出させる。
【００２５】
カバー２０の背面には、このカバー２０をコネクタハウジング１０に固定するために、係止突起部２１が設けられている。係止突起部２１は、外側から内側に向けて係合部１１に係合するような爪状をし、対向するように２対立設されている。
【００２６】
カバー２０の両側面には、このカバー２０の図１中矢印Ａ２０で示すような取り付け方向と平行に延びるように、複数のリブ２２がそれぞれ突設されている。カバー２０の両側面にはまた、カバー２０が外側に開くことによって、係止突起部２１と係合部１１との係合具合が緩むのを防止するために、側壁１９に対向するように、カバー開き防止突部２５がそれぞれ設けられている。カバー開き防止突部２５は、電線導出部２９側に進むにつれて対向する側壁１９に徐々に近づくように傾斜している。すなわち、カバー開き防止突部２５は、電線導出部２９側を頂点とする傾斜状になっている。カバー開き防止突部２５は、電線導出部２９に近い側の対になった係止突起部２１及び係合部１１よりも電線導出部２９に近接して一対設けられている。
【００２７】
また、カバー開き防止突部２５に隣接して、カバー２０をコネクタハウジング１０から離脱させるための治具を挿入するための、治具挿入口２６が形成されている。この治具挿入口２６は、カバー開き防止突部２５の最低部側のカバー２０の下部が切り欠かれて形成されている。
【００２８】
また、カバー２０の上面には、レバー３０側に設けられた係合部３８に係止される可撓性を有するアーム状のレバー係止部２４が設けられている。このレバー係止部２４を挟むように補強部２３が立設され、レバー係止部２４の可撓性を確保するためにレバー係止部２４の一部を囲むようにコ字状のスリット２７も設けられている（図５参照）。また、レバー係止部２４の裏面には、レバー係止部２４の補強用のリブ２８も形成されている（図５参照）。カバー２０の開口した電線導出部２９に対向する側は、電線を緩やかに曲げるために、電線の剛性が考慮されて湾曲している。
【００２９】
更に、特に、図６に示すように、カバー２０の裏面において、レバー係止部２４の基部近傍等、すなわち、レバー係止部２４の自由端及び固定端側に近接する箇所には、電線押えリブ２９Ｌ、２９Ｌ′が、レバー係止部２４の底面２４ａよりも下方に突き出るように突設されている。電線押えリブ２９Ｌ、２９Ｌ′は、電線４の進行方向と垂直方向に延びて電線４に当接するように突設されている。電線押えリブ２９Ｌ、２９Ｌ′は、電線４がこのレバー係止部２４の可動スペースに干渉するのを抑制するために、電線４を上から押さえつけるように十分な高さを持って突設されている。電線押えリブ２９Ｌ、２９Ｌ′によって、たとえ、当該コネクタ内において電線４の占有スペースが増大しても、レバー係止部２４の可動スペースは確実に確保されるので、レバー係止部２４の係止解除作業が妨げられることがない。
【００３０】
また、コネクタハウジング１０の両取り付け面１５を両側から挟み込むように、ハウジング１０に回動可能にレバー３０が取り付けらている。レバー３０には、中心部に回動孔３６、この回動孔３６を囲むように、相手コネクタのガイドピンを案内するためのガイド孔３１、その他窪み３２が設けられている。レバー３０は、コネクタハウジング１０の回動軸１６に中心部が差し込まれて、この回動軸１６を中心に回動可能である。レバー３０には、カバー２０側に設けられたレバー係止部２４に係合する係合部３８も設けられている。
【００３１】
このような構成の本回動レバー式コネクタにおける、嵌合作業時及び離脱作業時の作用について、図６及び図７を用いて説明する。図６は、実施形態の回動レバー式コネクタの部分断面図である。図７は、図６の回動レバー式コネクタの他の部分断面図である。
【００３２】
まず、嵌合作業時には、カバー２０が、コネクタハウジング１０の側壁１９の内側に沿うようにして、図１中矢印Ａ２０で示す方向からコネクタハウジング１０の基部に取り付けられる。このとき、カバー２０側の係止突起部２１がコネクタハウジング１０側の係合部１１に係合する。次に、相手コネクタ（不図示）が図中矢印Ａ１０で示す方向からコネクタハウジング１０の下部に嵌合される。この後、相手コネクタに設けられたガイドピン（不図示）が、レバー３０のガイド孔３１にはめ込まれて、図１中矢印Ａ３０方向へのレバー３０の回動に伴ってガイドピンが上方に引き上げられて、相手コネクタがコネクタハウジング１０に嵌合される。そして、最終的に、図６及び図７に示すように、アーム状のレバー係止部２４の可撓性を利用して、レバー係止部２４がレバー３０の係合部３８に係止されて、コネクタハウジング１０と相手コネクタとの嵌合が完了する。
【００３３】
これに対して、離脱作業は、レバー係止部２４を図７中の矢印Ａ１の方向へ押すことにより、レバー３０の係合部３８との係合を解除する。次に、レバー３０を、反矢印Ａ３０方向へ回動させることにより、コネクタハウジング１０と相手コネクタが離脱される。なお、レバー係止部２４を押す際、レバー係止部２４の下面と電線４との間には、電線押えリブ２９Ｌ、２９Ｌ′により、クリアランスＣＬが確保されているため、レバー係止部２４と電線との干渉を防止し、離脱作業が容易に行われる。
【００３４】
以上説明したように、本発明の実施形態によれば、カバー２０の裏面から突設された電線押えリブ２９Ｌ、２９Ｌ′によって、たとえ、当該コネクタ内において電線の占有スペースが増大しても、レバー係止部２４の可動スペースは確実に確保されるので、レバー係止部２４の係止解除作業が妨げられることがない。したがって、従来の同等の電線を用いながらも、コネクタの小型化が可能になる。
【図面の簡単な説明】
【００３５】
【図１】本発明の一実施形態に係る回動レバー式コネクタを示す斜視図である。
【図２】図１中のコネクタハウジングを示す斜視図である。
【図３】図１中のカバーを斜め下方からみた場合の斜視図である。
【図４】図１中のカバーの側面図である。
【図５】図１中のカバーの背面図である。
【図６】実施形態の回動レバー式コネクタの部分断面図である。
【図７】図６の回動レバー式コネクタの他の部分断面図である。
【図８】この種の従来の回動レバー式コネクタの部分断面図である。
【図９】図８の回動レバー式コネクタの他の部分断面図である。
【符号の説明】
【００３６】
１０  コネクタハウジング
２０  カバー
２４  レバー係止部
２９Ｌ、２９Ｌ′  電線押えリブ（請求項のリブ）
３０  レバー
【図１】
2006294359.tif 000003
【図２】
2006294359.tif 000004
【図３】
2006294359.tif 000005
【図４】
2006294359.tif 000006
【図５】
2006294359.tif 000007
【図６】
2006294359.tif 000008
【図７】
2006294359.tif 000009
【図８】
2006294359.tif 000010
【図９】
2006294359.tif 000011